(57)【要約】【課題】携帯機の挿入に際してシャッタの表面に傷がつくことを抑止できるスロットを提供すること。【解決手段】スロット２は、略直方体形状を成す携帯機１が挿入される収容空間とパネル開口部２３ａとを有し、携帯機１の挿入により携帯機１の挿入方向に移動するとともに、携帯機１の抜去によりパネル開口部２３ａを閉塞するシャッタ２２を備える。シャッタ２２の携帯機１が挿入される側の表面２２ａには突部２２ｂ，２２ｃ，２２ｄ，２２ｅを設け、携帯機１がパネル開口部２３ａに挿入される際に、表面２２ａは突部２２ｂ，２２ｃ，２２ｄ，２２ｅを介して携帯機１の挿入面１０と接する。【選択図】      図１
2005120687.tif 000002
【特許請求の範囲】
【請求項１】
略直方体形状を成す携帯機が挿入される収容空間と開口部とを有し、前記携帯機の挿入により該携帯機の挿入方向に移動するとともに、前記携帯機の抜去により前記開口部を閉塞するシャッタを備えたスロットにおいて、
前記シャッタの携帯機が挿入される側の表面には単数または複数の突部を設け、前記携帯機が前記開口部に挿入される際、該シャッタの表面は前記突部を介して携帯機の挿入面と接することを特徴とするスロット。
【請求項２】
前記シャッタの表面を前記挿入面の半分に対応した２つの領域に区画し、前記表面に複数の突部を備えるようにした場合、前記両領域にそれぞれ単数または複数の突部を備えるようにしたことを特徴とする請求項１に記載のスロット。
【請求項３】
前記シャッタの表面において、前記両領域にはそれぞれ２つの突部を備え、
各突部は、前記携帯機の挿入面の外周形状と略相似な四角形の隅部に配置するようにしたことを特徴とする請求項２に記載のスロット。
【発明の詳細な説明】
【技術分野】
【０００１】
本発明は、車両における携帯機のスロットに関するものである。
【背景技術】
【０００２】
近年、車両において、ユーザが携帯機を所持したままの状態で車両側のスイッチを操作するだけでエンジンの始動を可能にするスマートイグニッション機能を備えたエンジン始動許可機構が用いられている（例えば、特許文献１参照）。このようなエンジン始動許可機構によれば、携帯機のメカキー部をキーシリンダに挿入する等の煩わしい操作からユーザは解放される。
【０００３】
エンジン始動許可機構は、携帯機と車両側に設けられる通信制御装置とを備えている。通信制御装置は、携帯機との間で相互通信を行い、携帯機から送信されたＩＤコードと自らが有するＩＤコードとの照合を行う。このＩＤコードによる照合が一致した場合、通信制御装置はエンジンの始動を許可する。携帯機は、相互通信を行うための電源としての電池を備えている。この電池が消耗した場合、携帯機からのＩＤコードの送信が困難となり、通信制御装置によるエンジンの始動が許可されないときがある。この場合には、インストルメントパネルに設けられたスロットに携帯機を挿入する。すると、携帯機に内蔵されたトランスポンダを駆動するためのトランスポンダ駆動電波が通信制御装置から出力されることにより、スロットの内部に磁界が発生する。この磁界によりトランスポンダのイモビアンテナには起電力が発生する。この起電力によってトランスポンダは起動して自らが有するＩＤコードを通信制御装置へ送信する。従って、電池が消耗した場合においてもユーザはエンジンを始動させることができる。
【特許文献１】特開２００２−２９５０８９号公報
【発明の開示】
【発明が解決しようとする課題】
【０００４】
ところで、スロットの開口部には、ごみ等の侵入を防止するためにシャッタが設けられている。このシャッタは、携帯機の挿入により該携帯機の挿入方向に移動するとともに、該携帯機の抜去により開口部を閉塞するようになっている。このため、携帯機をスロットに挿入する際、スロットの開口部を閉塞しているシャッタと携帯機とが接触することにより、シャッタの表面（携帯機との接触面）に擦り傷等の傷がつき、シャッタの見栄えが損なわれるという問題があった。
【０００５】
本発明は、こうした実情に鑑みてなされたものであって、その目的は、携帯機の挿入に際してシャッタの表面に傷がつくことを抑止できるスロットを提供することにある。
【課題を解決するための手段】
【０００６】
上記課題を解決するために請求項１に記載の発明では、略直方体形状を成す携帯機が挿入される収容空間と開口部とを有し、前記携帯機の挿入により該携帯機の挿入方向に移動するとともに、前記携帯機の抜去により前記開口部を閉塞するシャッタを備えたスロットにおいて、前記シャッタの携帯機が挿入される側の表面には単数または複数の突部を設け、前記携帯機が前記開口部に挿入される際、該シャッタの表面は前記突部を介して携帯機の挿入面と接することを要旨とする。
【０００７】
この発明によれば、携帯機をスロットに挿入する際、携帯機の挿入面はシャッタの表面に設けられた単数または複数の突部に接触する。このため、シャッタの表面に突部がない場合に比較して、シャッタと携帯機との接触面積が減少する。従って、携帯機の挿入に際してシャッタの表面に傷がつくことを抑止できる。
【０００８】
請求項２に記載の発明では、前記シャッタの表面を前記挿入面の半分に対応した２つの領域に区画し、前記表面に複数の突部を備えるようにした場合、前記両領域にそれぞれ単数または複数の突部を備えるようにしたことを要旨とする。
【０００９】
この発明によれば、携帯機をスロットに挿入する際に携帯機の姿勢が安定するため、シャッタの表面に傷がつくことを一層抑制できる。
請求項３に記載の発明では、前記シャッタの表面において、前記両領域にはそれぞれ２つの突部を備え、各突部は、前記携帯機の挿入面の外周形状と略相似な四角形の隅部に配置するようにしたことを要旨とする。
【００１０】
この発明によれば、携帯機をスロットに挿入する際、携帯機の挿入面に４つの突部がバランスよく接触する。このため、挿入する際の携帯機の姿勢がより安定し、シャッタの表面に傷がつくことを一層抑制できる。特に、携帯機の挿入面が円弧面に形成されている場合、該挿入面の外頂部が４つの突部が成す四角形（携帯機の挿入面の外周形状と略相似な四角形）の内側に収まるため、携帯機の姿勢をより安定させることができる。
【発明の効果】
【００１１】
本発明によれば、携帯機の挿入に際してシャッタの表面に傷がつくことを抑制できるスロットを提供することができる。
【発明を実施するための最良の形態】
【００１２】
以下、本発明を車両用携帯機が挿入されるスロットのシャッタに具体化した一実施形態を図１〜図４に従って説明する。携帯機の電池が消耗した場合等の不測の事態においては、ユーザは車両のインストルメントパネルに設けられたスロットに携帯機を挿入する。これにより、携帯機と車両との間でＩＤコードによる照合が行われる。
【００１３】
図１に示すように、携帯機１は車両室内のインストルメントパネル（図示せず）に設けられたスロット２に挿入される。携帯機１は、略直方体形状を成し、スロット２への挿入が容易に行えるように挿入方向に対して先細りになるように緩やかなテーパ（図示略）がついている。スロット２と対向する携帯機１の挿入面１０は、円弧面状に形成されている。挿入面１０に直交するとともに互いに対向する側面１１，１２には、係合穴１３，１４が凹設されている。これら係合穴１３，１４は、スロット２の後述するロック爪２５，２６（図３参照）よりも若干大きめに形成されている。また、携帯機１は、その内部にトランスポンダ１５（図２参照）を備えている。
【００１４】
図２に併せ示すように、スロット２は、ケース本体２０と、該ケース本体２０に収容されたシャッタホルダ２１と、該シャッタホルダ２１に収容されたシャッタ２２と、ケース本体２０の携帯機１の挿入側面に装着されたパネル２３と、ケース本体２０に内蔵されたイモビライザアンテナ２４とを備えている。
【００１５】
ケース本体２０は一側面（携帯機１の挿入側面）が開口した有底角筒形状に形成されている。このケース本体２０には、シャッタホルダ２１が該ケース本体２０内を往復移動可能に収容されている。
【００１６】
シャッタホルダ２１には、携帯機１を挿入可能とした携帯機収容口２１ａが形成されており、該シャッタホルダ２１の内部は携帯機１を挿入可能とした収容空間２１ｂとされている。図３に示すように、シャッタホルダ２１の内面には、該シャッタホルダ２１の移動に連動して突出可能としたロック爪２５，２６が設けられている。
【００１７】
前記シャッタホルダ２１にはシャッタ２２がさらに収容されている。このシャッタ２２は、直方体形状に形成されており、シャッタホルダ２１の内部において往復移動可能に設けられている。
【００１８】
シャッタホルダ２１の内底面とシャッタ２２との間には図示しないバネが配置されており、このバネの弾性力によりシャッタ２２は、パネル開口部２３ａを閉塞する方向（図２における右方向）へ常に付勢されている。このため、携帯機１が挿入されない場合にはシャッタ２２がパネル開口部２３ａを閉塞することにより、スロット２内への塵埃の浸入が防止される。
【００１９】
図４（ａ），（ｂ）に併せ示すように、シャッタ２２の携帯機１側の表面２２ａには、４つの半球状の突部２２ｂ，２２ｃ，２２ｄ，２２ｅが、シャッタ２２と同一の形成材料（例えば合成樹脂）によって一体的に形成されている。
【００２０】
図３及び図４（ｂ）に示すように、携帯機１のスロット２への挿入時、各突部２２ｂ，２２ｃ，２２ｄ，２２ｅと携帯機１の挿入面１０とが接触した際に、携帯機１の挿入面１０がシャッタ２２の表面２２ａに接触しない程度に、各突部２２ｂ，２２ｃ，２２ｄ，２２ｅのシャッタ２２の表面２２ａからの突出高さ及び配置がそれぞれ設定されている。
【００２１】
具体的には、図４（ａ）に示すように、シャッタ２２の表面２２ａは携帯機１の挿入面１０の半分に対応した２つの領域Ａ１，Ａ２に区画されている。この２つの領域Ａ１，Ａ２のうち一方の領域Ａ１（図４（ａ）において、表面２２ａの上半分の領域）には突部２２ｂ及び突部２２ｃが形成されており、他方の領域Ａ２（図４（ａ）において、表面２２ａの下半分の領域）には突部２２ｄ及び突部２２ｅが形成されている。また、これら突部２２ｂ，２２ｃ，２２ｄ，２２ｅは、携帯機１の挿入面１０の外周形状と略相似な長方形Ｙの角に当たる位置（隅部）に配置されている。突部２２ｂと突部２２ｄとの間隔ＳＨ、突部２２ｃと突部２２ｅとの間隔ＳＨは、それぞれ携帯機１の厚みＨの約１／３となるように設定されている。突部２２ｂと突部２２ｃとの間隔ＳＷ、突部２２ｄと突部２２ｅとの間隔ＳＷは、それぞれ携帯機１の幅Ｗ（図１参照）の約１／３となるように設定されている。
【００２２】
パネル２３は、ケース本体２０のケース開口部２０ａ側の端部に外側から装着されている。パネル２３には、携帯機１を挿入可能としたパネル開口部２３ａ（開口部）が形成されている。本実施形態においてパネル開口部２３ａの開口面積は、前記携帯機収容口２１ａとほぼ同じになっている。
【００２３】
次に、上記構成によるスロットの作用を図３に基づいて説明する。
携帯機１をスロット２に挿入する際には、携帯機１の挿入面１０はシャッタ２２に設けられた各突部２２ｂ，２２ｃ，２２ｄ，２２ｅに接触する。つまり、携帯機１の挿入面１０とシャッタ２２の表面２２ａとは接触しない。このため、携帯機１のスロット２への挿入に際して、シャッタ２２の表面２２ａに傷がつくことが抑制される。
【００２４】
また、携帯機１をスロット２に挿入するに際して、携帯機１の挿入面１０に各突部２２ｂ，２２ｃ，２２ｄ，２２ｅがバランスよく接触する。具体的には、携帯機１の挿入面１０の外頂部が各突部２２ｂ，２２ｃ，２２ｄ，２２ｅが成す四角形（挿入面１０の外周形状と略相似な四角形）の内側に収まる。このため、挿入する際の携帯機１の姿勢が安定する。
【００２５】
そして、携帯機１の挿入面１０と各突部２２ｂ，２２ｃ，２２ｄ，２２ｅとが接触した状態で、該携帯機１を挿入すると、該携帯機１の移動に伴ってシャッタ２２がバネ（図示略）の弾性力に抗して携帯機１の挿入方向（図３において左方向）に移動する。シャッタ２２がシャッタホルダ２１の内底面に当接することにより、該シャッタ２２のシャッタホルダ２１内における携帯機１の挿入方向への移動が規制される。この結果、収容空間２１ｂ内に携帯機１の一部が収容される。
【００２６】
この状態で、さらに携帯機１を挿入すると、シャッタ２２はシャッタホルダ２１と一体的に携帯機１の挿入方向へ移動する。そして、携帯機１の係合穴１３，１４がシャッタホルダ２１のロック爪２５，２６に対応する位置まで該携帯機１が挿入されたとき、ロック爪２５，２６はシャッタホルダ２１の内方へ突出して携帯機１の側面１１，１２を挟み込むように係合穴１３，１４に係合する。その結果、図３に示すように、携帯機１はスロット２内に固定される。
【００２７】
携帯機１がスロット２内に固定されると、イモビライザアンテナ２４から電波が出力されることにより、シャッタホルダ２１の収容空間２１ｂの内部には磁界が発生する。この磁界により携帯機１のトランスポンダ１５は駆動し、該トランスポンダ１５は車両側へ固有のＩＤコードを送信する。
【００２８】
従って、上記構成によるスロットによれば、以下のような作用・効果を得ることができる。
（１）携帯機１をスロット２に挿入する際、携帯機１の挿入面１０は、シャッタ２２が備える４つの突部２２ｂ，２２ｃ，２２ｄ，２２ｅに接触する。このため、シャッタ２２の表面２２ａに突部２２ｂ，２２ｃ，２２ｄ，２２ｅを設けないようにした場合に比較して、シャッタ２２と携帯機１との接触面積が減少する。従って、携帯機１の挿入に際してシャッタ２２の表面２２ａに傷がつくことを抑止できる。ひいては、シャッタの見栄えを維持することができる。
【００２９】
また、携帯機１をスロット２に挿入する際に、突部２２ｂ，２２ｃ，２２ｄ，２２ｅの表面（先端）に携帯機１との接触による傷が発生することが考えられる。しかし、これら各突部２２ｂ，２２ｃ，２２ｄ，２２ｅの先端の傷はユーザからは視認し難い。各突部２２ｂ，２２ｃ，２２ｄ，２２ｅと携帯機１の挿入面１０との接触面積は微小だからである。従って、シャッタ２２の表面２２ａの見栄えを維持することができる。
【００３０】
（２）シャッタ２２は、パネル開口部２３ａを閉塞する方向へ常時バネにより付勢されている。このため、携帯機１がスロット２に挿入される際には、各突部２２ｂ，２２ｃ，２２ｄ，２２ｅと円弧面状の挿入面１０とは密接状態に保持される。よって、携帯機１をスロット２に挿入する際の携帯機１の姿勢が安定する。従って、携帯機１をスロット２へ容易に挿入することができる。
【００３１】
（３）４つの突部２２ｂ，２２ｃ，２２ｄ，２２ｅのうち、突部２２ｂ及び突部２２ｃは、表面２２ａの上半分（図４（ａ））を占める領域に形成され、突部２２ｄ及び突部２２ｅは、表面２２ａの下半分（図４（ａ））を占める領域に形成されている。このため、携帯機１をスロット２に挿入する際、携帯機１の挿入面１０の上半分には突部２２ｂ及び突部２２ｃが接触し、下半分には突部２２ｄ及び突部２２ｅが接触する。従って、携帯機１の姿勢が安定する。また、携帯機１のスロット２への挿入時、該携帯機１の傾きが抑制され、シャッタ２２の表面２２ａに傷がつくことを一層抑止できる。
【００３２】
（４）突部２２ｂ，２２ｃ，２２ｄ，２２ｅは、携帯機１の挿入面１０の外周と略相似な長方形Ｙの角に当たる位置に配置されている。つまり、携帯機１の挿入面１０の隅に当たる位置に突部２２ｂ，２２ｃ，２２ｄ，２２ｅがそれぞれ配置されている。このため、携帯機１をスロット２に挿入した際、携帯機１の傾きが一層抑制され、シャッタ２２の表面２２ａと挿入面１０との間に確実に隙間が形成される。従って、シャッタ２２の表面２２ａに傷がつくことを一層抑止できる。
【００３３】
（５）スロット２内に固定された携帯機１は、その挿入面１０の外頂部がシャッタ２２の表面２２ａにおける突部２２ｂ，２２ｃと突部２２ｄ，２２ｅとの間に収まるため、スロット２内において安定した位置を保つ。つまり、携帯機１は、シャッタ２２の突部２２ｂ，２２ｃ，２２ｄ，２２ｅによってスロット２内においてセンタリングされる。このため、携帯機１は、スロット２に挿入した際、４つの突部２２ｂ，２２ｃ，２２ｄ，２２ｅとロック爪２５，２６とによって固定される。従って、シャッタ２２の表面２２ａに突部２２ｂ，２２ｃ，２２ｄ，２２ｅを形成しないようにした場合と比較して、携帯機１をスロット２に挿入した状態で車両を走行させたときに該携帯機１のがたつきに起因して発生する異音を抑制できる。
【００３４】
また、スロット２に携帯機１を挿入した状態で携帯機１の姿勢が安定するため、イモビライザアンテナ２４とトランスポンダ１５との距離は一定に保たれる。このため、両者の間で行われるＩＤコードによる照合を安定して行わせることができる。従って、スロット２と携帯機１との間で行われるＩＤコードによる照合の信頼性を向上させることができる。
【００３５】
（６）シャッタ２２と突部２２ｂ，２２ｃ，２２ｄ，２２ｅとは、同一の形成材料によって一体的に形成されている。従って、シャッタ２２と突部２２ｂ，２２ｃ，２２ｄ，２２ｅとを別々に製造した場合に比較してスロット２の製造コストを抑制できる。また、部品点数も低減する。
【００３６】
（７）突部２２ｂ，２２ｃ，２２ｄ，２２ｅは、半球状に形成するようにした。このため、各突部２２ｂ，２２ｃ，２２ｄ，２２ｅは、それぞれ携帯機１の挿入面１０と点で接触する。このため、突部２２ｂ，２２ｃ，２２ｄ，２２ｅの表面（先端）に携帯機１との接触による傷が発生したとしても、ユーザからは視認し難い。従って、シャッタ２２の表面２２ａの見栄えを一層維持することができる。
【００３７】
なお、本発明の実施形態は以下のように変更してもよい。
・本実施形態においては、シャッタ２２の表面２２ａに４つの突部２２ｂ，２２ｃ，２２ｄ，２２ｅを形成するようにした。しかし、シャッタ２２の表面２２ａに形成する突部の数は、４つに限られない。例えば、図５（ａ）に示すように、シャッタ２２の表面２２ａに２つの突部３０，３１を同一の形成材料によって一体的に形成するようにしてもよい。この場合、図５（ｂ）に示すように、携帯機１の挿入面１０には、両突部３０，３１を係合可能とした係合溝１０ａを形成するようにしてもよい。この係合溝１０ａは、両突部３０，３１に係合する一つの溝によって構成されてもよいし、各突部３０，３１にそれぞれ対応した２つの溝によって構成されてもよい。このようにすれば、携帯機１をスロット２に挿入する際、両突部３０，３１が挿入面１０の係合溝１０ａに係合することにより、携帯機１の移動が規制される。このため、携帯機１をスロット２に挿入し易くなる。
【００３８】
さらに、シャッタ２２の表面２２ａには、図６（ａ）に示すように、１つの突部４０を形成するようにしてもよいし、３つの突部（図示略）を形成するようにしてもよい。このようにしても、シャッタ２２と携帯機１の挿入面１０との接触面積を小さくすることができる。
【００３９】
・本実施形態においては、各突部２２ｂ，２２ｃ，２２ｄ，２２ｅを半球状に形成するようにした。しかし、突部２２ｂ，２２ｃ，２２ｄ，２２ｅの形状は半球状に限定されない。例えば、各突部２２ｂ，２２ｃ，２２ｄ，２２ｅをそれぞれ円柱状に形成してもよい。また、図６（ｂ）に示すように、シャッタ２２の表面２２ａに断面蒲鉾（かまぼこ）形状の突部５０，５１（突条）を短手方向に所定間隔をおいて形成するようにしてもよい。さらに、図６（ｃ），（ｄ）に示すように、シャッタ２２の表面２２ａに半球状の凹部６０，６１，６２，６３を形成するようにしてもよい。このようにしても、携帯機１の挿入面１０とシャッタ２２の表面２２ａとの接触面積を減少させることができ、該表面２２ａの傷つきを抑止することができる。なお、携帯機１の挿入面１０を円弧面状とする場合には、各凹部６０，６１，６２，６３はシャッタ２２の表面２２ａにおける中央部（携帯機１の挿入面１０の外頂部に対応する部位）に配置する。
【００４０】
・本実施形態においては、シャッタ２２と突部２２ｂ，２２ｃ，２２ｄ，２２ｅとを一体的に形成するようにした。しかし、シャッタ２２と突部２２ｂ，２２ｃ，２２ｄ，２２ｅとを別体としてもよい。さらに、突部２２ｂ，２２ｃ，２２ｄ，２２ｅを例えばゴム材等の弾性体により形成するようにしてもよい。このようにすれば、携帯機１をスロット２に挿入する際に携帯機１の挿入面１０に傷がつくことを防止することができる。また、突部２２ｂ，２２ｃ，２２ｄ，２２ｅを例えば鋼材等の金属で形成するようにしてもよい。このようにすれば、突部２２ｂ，２２ｃ，２２ｄ，２２ｅと携帯機１の挿入面１０との接触による磨耗を少なくすることができる。
【００４１】
・本実施形態では、シャッタ２２の表面２２ａを携帯機１の挿入面１０の半分に対応した２つの領域Ａ１，Ａ２、すなわち図４（ａ）における上半分の領域と同じく下半分の領域とに区画し、それぞれの領域に突部を形成するようにした。しかし、シャッタ２２の表面２２ａ区画方法は、本実施形態における上半分と下半分とによる区画に限定されない。例えば、シャッタ２２の表面２２ａを該表面２２ａの対角線によって２つの領域に区画してもよい。また、図４（ａ）における左半分と同じく右半分とに区画するようにしてもよい。
【００４２】
次に、本実施形態及び他の実施形態から把握できる技術的思想を以下に追記する。
（１）略直方体形状を成す携帯機が挿入される収容空間と開口部とを有し、前記携帯機の挿入により該携帯機の挿入方向に移動するとともに、前記携帯機の抜去により前記開口部を閉塞するシャッタを備えたスロットにおいて、前記シャッタは、前記携帯機が挿入される側の表面に単数または複数の凹部を備えたこと。
【００４３】
（２）請求項１〜３のいずれか１項に記載の発明において、前記シャッタと前記突部とは、同一の形成材料によって一体的に形成されていること。
（３）請求項１〜３、技術的思想（２）のいずれか１項に記載の発明において、前記突部は、半球状に形成されていること。
【００４４】
（４）略直方体形状を成す携帯機が挿入される収容空間と開口部とを有し、前記携帯機の挿入により該携帯機の挿入方向に移動するとともに、前記携帯機の抜去により前記開口部を閉塞するシャッタを備えたスロットにおいて、前記シャッタにおける携帯機が挿入される側の表面には、前記携帯機との接触面積を減少させる接触面積減少構造を設けるようにしたこと。なお、本実施形態において接触面積減少構造は、突部２２ｂ，２２ｃ，２２ｄ，２２ｅに相当する。また、前記他の実施形態において接触面積減少構造は、凹部６０，６１，６２，６３に相当する。
【図面の簡単な説明】
【００４５】
【図１】本実施形態におけるスロットの斜視図。
【図２】同じく、携帯機を挿入する前の状態におけるスロットのＢ−Ｂ断面図。
【図３】同じく、携帯機がスロット内に固定された状態におけるスロットのＢ−Ｂ断面図。
【図４】（ａ）は、同じくシャッタの図１におけるＡ矢視図、（ｂ）は、同じくシャッタの側面図。
【図５】（ａ）は、他の実施形態におけるシャッタの正面図、（ｂ）は、同じく、図５（ａ）におけるＣ−Ｃ断面図。
【図６】（ａ）は、他の実施形態におけるシャッタの正面図、（ｂ）は、別の他の実施形態におけるシャッタの正面図、（ｃ）は、また別の他の実施形態におけるシャッタの正面図、（ｄ）は、図６（ｃ）のＤ−Ｄ断面図。
【符号の説明】
【００４６】
１…携帯機、１０…挿入面、２…スロット、２１ｂ…収容空間、２２…シャッタ、２２ａ…表面、２２ｂ，２２ｃ，２２ｄ，２２ｅ，３０，３１，４０，５０，５１…突部、２３ａ…開口部としてのパネル開口部、Ａ１，Ａ２…領域。
【図１】
2005120687.tif 000003
【図２】
2005120687.tif 000004
【図３】
2005120687.tif 000005
【図４】
2005120687.tif 000006
【図５】
2005120687.tif 000007
【図６】
2005120687.tif 000008